(57)【特許請求の範囲】
【請求項１】
持ち手を備えた柄の先端側に塗布面を有してなる塗布具であって、
持ち手から塗布面に向かう長手方向に沿って延在する板状体であり、
塗布面は凸曲面により形成され、
塗布面の外周のうち、長手方向に沿う先端側の外周は、曲線をなして外方へ突出する凸部とされ、板幅方向に沿う左右両側の外周は、曲線からなる膨出部とされ、凸部と膨出部をつなぐ部分の外周は、凸部と膨出部を滑らかにつなぐ曲線からなる凹状湾曲部とされ、凸部の曲率を膨出部の曲率よりも大曲率としてなる塗布具。
【請求項２】
前記塗布面の面内にへこみを形成してなる請求項１に記載の塗布具。
【請求項３】
前記塗布面がへこみを円形状にし、そのへこみの中心点まわりに凸曲面を同軸配置した請求項２に記載の塗布具。
【請求項４】
前記持ち手と塗布面を含む断面視で、持ち手が塗布面における凸曲面の中央部に引いた接線に対し離隔して配置されてなる請求項１〜３のいずれかに記載の塗布具。
【請求項５】
前記持ち手から塗布面に渡る長手方向の全体的に塗布面の側が凸となるように湾曲してなる請求項１乃至４のいずれかに記載の塗布具。
【発明の詳細な説明】
【技術分野】
【０００１】
本発明は、各種化粧料や薬液等を顔面等の肌面に塗布するに好適な塗布具に関する。
【背景技術】
【０００２】
従来、化粧料等の塗布具として、特許文献１、２に記載のものがある。
【０００３】
特許文献１に記載の化粧用塗布具は、発泡素材からなる塗布本体の片面又は両面の一部を、突設又は凹設して塗布本体に肉厚差を設けることにより、肉厚部と肉薄部とを形成し、ファンデーション等を塗布可能にするものである。即ち、額、頬、又は首筋等の塗布面積が広くて、比較的平坦な被塗布部には、塗布本体の肉厚部を用いて化粧料を塗布し、指先の凹凸を肉厚部で吸収する等しようとするものである。また、小鼻の回りや目頭の窪み等、凹凸が多くて塗布面積の狭い被塗布部には、塗布本体の肉薄部を用いて化粧料を塗布するものとし、肉薄部の塗布面を、被塗布面の凹凸に合わせて柔軟に変形させたり、折り曲げて幅狭とする等しようとするのである。
【０００４】
特許文献２に記載の塗布具は、孫の手のような握り部を有する柄の先端部に、軟膏を留め置くように加工した凹部を設けて、孫の手を使う要領で背中に軟膏を塗り込むようにしたものである。
【先行技術文献】
【特許文献】
【０００５】
【特許文献１】特開平11-206447号公報
【特許文献２】特開2014-46190号公報
【発明の概要】
【発明が解決しようとする課題】
【０００６】
化粧料等を顔等の肌面に塗布しようとした場合、特許文献１に記載の化粧用塗布具や特許文献２に記載の塗布具では、塗布面の外周を小鼻の回りや目頭のくぼみ等の肌面における細かい部分に押し当て難く、化粧料を肌面の細かい部分に塗布することに困難であった。従って、肌面の隅々に与えるマッサージ感の向上も困難であった。
【０００７】
本発明の課題は、化粧料等を肌面に滑らかに均一に塗り広げるとともに、化粧料等を肌面の細かい部分にも容易に塗布でき、肌面に与えるマッサージ感も向上することにある。
【課題を解決するための手段】
【０００８】
請求項１に係る発明は、持ち手を備えた柄の先端側に塗布面を有してなる塗布具であって、持ち手から塗布面に向かう長手方向に沿って延在する板状体であり、塗布面は凸曲面により形成され、塗布面の外周のうち、長手方向に沿う先端側の外周は、曲線をなして外方へ突出する凸部とされ、板幅方向に沿う左右両側の外周は、曲線からなる膨出部とされ、凸部と膨出部をつなぐ部分の外周は、凸部と膨出部を滑らかにつなぐ曲線からなる凹状湾曲部とされ、凸部の曲率を膨出部の曲率よりも大曲率としたものである。
【発明の効果】
【０００９】
本発明によれば、化粧料等を肌面に滑らかに均一に塗り広げるとともに、化粧料等を肌面の細かい部分にも容易に塗布でき、肌面に与えるマッサージ感も向上することができる。
【図面の簡単な説明】
【００１０】
【図１】図１は塗布具を示す斜視図である。
【図２】図２は塗布具を示す正面図である。
【図３】図３は塗布具を示す側面図である。
【図４】図４は塗布具を先端からみた拡大図である。
【図５】図５は図２のV-V線に沿う断面図である。
【発明を実施するための形態】
【００１１】
塗布具１００は、図１〜図５に示す如く、アルミ、ステンレス鋼、鉄等の金属、プラスチック、又はセラミック等から製作されたものである。
【００１２】
塗布具１００は、持ち手１０を備えた柄１１の先端側に塗布面２０を有する板状体である。尚、塗布具１００の以下の説明において、その板状体の正背２面のうち、塗布面２０が設けられる側を正面とする。
【００１３】
使用者は、例えば、持ち手１０の正面と背面の一方に当てた親指と、他方に当てた人差し指により持ち手１０を把持し、化粧料が供された塗布面２０を自らの顔面等の肌面に押し付けて任意の方向に動かし、化粧料を肌面に塗り広げる。
【００１４】
化粧料としては、吐出されて泡状をなすもの、クリームやジェル等の粘液等を含むものの他、いかなる性状の化粧料であっても適用できる。また、化粧料として、化粧水、乳液、美容液、ファンデーション等が挙げられる。
【００１５】
塗布具１００は、持ち手１０から塗布面２０に向かう長手方向に沿って一定の板厚ｔ（図５）をなして延在する細長板状体であり、長手方向に沿う全長Ｌ（図２）の一方（基端側）の概半部を柄１１とし、他方の概半部に塗布面２０を設け、柄１１において塗布面２０から最も離隔する部分を持ち手１０としている。
【００１６】
塗布具１００は、正面視（背面視も同じ）で、持ち手１０の長手方向に直交する板幅Ｗ1を、塗布面２０の長手方向に直交する板幅Ｗ2より狭幅とし、柄１１の板幅を持ち手１０から塗布面２０に向けて徐々に拡幅するものとしている（図２）。尚、以降、板幅に沿う方向を便宜的に左右方向とも称す。
【００１７】
塗布面２０は、なだらかに湾曲した凸曲面２１により形成され、凸曲面２１の外周に外方へ突出する凸部２２を設けている。凸曲面２１は肌面に当たって化粧料を塗り広げる面となる。凸部２２の正面も凸曲面２１に滑らかに連続する曲面になっている。凸曲面２１及び凸部２２の正面の好ましい曲率半径はＲ２０〜１００mmである。
【００１８】
尚、本実施形態の凸曲面２１はなだらかであり、平面に近くなっている箇所もある。塗布面２０は、曲面があり、その連続する領域に凹となる箇所（後述するへこみ２５は除く）がなければ凸曲面２１により形成されているものとみなす。
【００１９】
塗布面２０の外周のうち、長手方向に沿う先端側の外周は、円弧状曲線（曲率半径ｒ1、図２）からなる凸部２２とされ、長手方向に直交する板幅方向に沿う左右両側の外周は、円弧状曲線（曲率半径ｒ2、図２）からなる膨出部２３とされ、凸部２２と膨出部２３をつなぐ部分の外周は、凸部２２と膨出部２３を滑らかにつなぐ円弧状曲線（曲率半径−ｒ3、図２）からなる凹状湾曲部２４とされている。塗布面２０、凸部２２等の外周は、図２のように正面視（又は背面視）で観察される。尚、円弧状曲線からなる凸部２２は、曲率半径ｒ1のみから形成されるものではなく、凹状湾曲部２４と連続するにあたり、徐々にその曲率を変化させるものであり、凹状湾曲部２４、膨出部２３も同様である。また、塗布面２０の外周のうち、長手方向に沿う先端側の外周は、大曲率（曲率半径ｒ1、図２）の円弧状曲線からなる凸部２２とされ、長手方向に直交する板幅方向に沿う左右両側の外周は、小曲率（曲率半径ｒ2、図２）の円弧状曲線からなる膨出部２３とされ、凸部２２と膨出部２３をつなぐ部分の外周は凸部２２と膨出部２３を滑らかにつなぐ大曲率（曲率半径−ｒ3、図２）の円弧状曲線からなる凹状湾曲部２４とされている。尚、曲率半径が大きい方が小曲率であり、曲率半径が小さい方が大曲率である。
【００２０】
凸部２２の曲率半径ｒ1は、凸部２２が細かい部分に塗布できる指のような役割ができるように、指の幅寸法から好ましいＲの範囲を決定され、好ましいｒ1はＲ２．５〜１０mmである。また、膨出部２３の曲率半径ｒ2は、膨出部２３によって適度な広範囲に塗布できるような大きさのＲとされ、好ましいｒ2はＲ１５〜５０mmである。塗布具１００にあっては、化粧料を凸部２２により細かい部分に容易に塗布できるようにする点で、ｒ1＜ｒ2とすることが重要である。
【００２１】
塗布面２０の外周のうち、長手方向において凸部２２の反対側に位置する部分は柄１１の後述する凸状面１１Ａと滑らかに連続する。
【００２２】
塗布面２０は、凸曲面２１の面内に円形状へこみ２５を形成している。へこみ２５は化粧料を保持する部分となる。へこみ２５は凹曲面であることが好ましく、その曲率半径ｒ6（図５）の好適範囲は、顔等の肌面の曲面にフィット性及び液垂れ防止の観点等から、例えばＲ３０〜１００mmとされる。従って、本実施例の塗布面２０は、正面視で、塗布面２０の外周との間に区画される概円環状の凸曲面２１と、凸曲面２１に囲まれるへこみ２５とを有するものになる。本実施例において、凸曲面２１の仮想上の頂点ｐは塗布具１００の側面視でへこみ２５の上方に位置し（図５）、凸曲面２１の上記頂点ｐはへこみ２５の中心点ｃに対し塗布具１００の正面視で合致するものとされ、同軸配置されたものである（図２）。
【００２３】
塗布具１００は、柄１１の基端部である持ち手１０の正面を、板幅Ｗ1の中央部から板幅方向の左右両側に反らせた円筒面状をなす凹曲面１０Ａによって形成している。凹曲面１０Ａは持ち手１０を把持する指が当たって納まる面になる。また、凹曲面１０Ａは長手方向に沿って設けられているため、凹曲面１０Ａに把持する指を納めた状態では持ち手１０から塗布面２０の方向が定まり、塗布具１０の安定した操作が可能となる。
【００２４】
塗布具１００は、柄１１において持ち手１０と塗布面２０に挟まれる部分を持ち手１０の凹曲面１０Ａと塗布面２０の凸曲面２１を滑らかにつなぐ凸曲面１１Ａによって形成している。
【００２５】
塗布具１００は、柄１１の外周のうち、長手方向に沿う基端側の外周を大曲率（曲率半径ｒ4、図２）の円弧状曲線からなる凸部１２とし、凸部１２と塗布面２０の膨出部２３をつなぐ部分の外周を凸部１２と膨出部２３を滑らかにつなぐ小曲率（曲率半径−ｒ5、図２）の円弧状曲線からなる凹状湾曲部１３としている。これにより、塗布具１００は持ち手１０を含む柄１１及び塗布面２０の全体の外周を曲線で構成するものになる。柄１１の上述の曲率半径ｒ4の好ましい範囲はＲ５〜２０mm、曲率半径ｒ5の好ましい範囲はＲ１００〜５００mmである。
【００２６】
塗布具１００は、持ち手１０と塗布面２０を含む全体の断面視で、持ち手１０を塗布面２０における凸曲面２１の中央部に引いた接線ａ（本実施例では、凸曲面２１の面内にへこみ２５が形成されているため、接線ａが引かれる凸曲面２１の中央部は凹み２５の周縁の相対する２点となる）に対し、距離ｂだけ離隔して配置し（図５）、持ち手１０を把持した指が肌面に接することなく、塗布面１０を肌面に当てることができるようにしている。距離ｂは指の厚さから好ましい範囲が決定され、例えば１０〜２５mmである。
【００２７】
塗布具１００は、持ち手１０の板幅Ｗ1の中心部と、塗布面２０の板幅Ｗ2の中心部を通って長手方向に延びる中心線ｋの左右両側部分が、互いに線対称をなすようにしている（図２）。従って、塗布具１００の各部（持ち手１０、柄１１、凸部１２、凹状湾曲部１３、塗布面２０、凸曲面２１、凸部２２、膨出部２３、凹状湾曲部２４、円形状へこみ２５）は、中心線ｋに関して左右対称形状をなすものになる。
【００２８】
また、塗布具１００は一定の板厚ｔからなる板状体であるから、塗布具１００の正面に設けられた塗布面２０の凸曲面２１（凸面）、円形状へこみ２５（凹面）、持ち手１０の凹曲面１０Ａ（凹面）、柄１１の凸曲面１１Ａ（凸面）のそれぞれに対する、塗布具１００の背面の各部は、その正面側が凸面ならば凹面になり、その正面側が凹面ならば凸面になっている。
【００２９】
塗布具１００は、プレス成形やモールド成形によって全体の輪郭を成形された後、例えばバレル研磨、更にはバフ研磨を施され、外周エッジの丸味、へこみ２５の円形状輪郭線２５Ａの丸味、及び全体の光沢を付与される。
【００３０】
本実施例において、塗布具１００の図２、図５に示した各部寸法は、Ｌ＝１１２mm、Ｗ1＝１８mm、Ｗ2＝４０mm、ｒ1＝Ｒ６．５mm、ｒ2＝Ｒ２５mm、ｒ3＝Ｒ３０mm、ｒ4＝Ｒ７mm、ｒ5＝Ｒ２００mm、ｒ6＝Ｒ５０mm、ｂ＝１６．５mmとした。
【００３１】
しかるに、本実施例の塗布具１００によれば以下の作用効果を奏する。
(a)塗布具１００の塗布面２０が凸曲面２１により形成される。この塗布面２０は使用者の例えば手の平の如くに機能する。
【００３２】
塗布面２０は、へこみ２５の領域を除き、凸曲面２１の中心から周辺部及び外周に至るまで凹となる箇所がない。このため、塗布面２０により化粧料を均一に塗り広げることができるとともに、塗布面２０を顔等の肌面にスムーズに違和感なく移動させることができ、心地良い感触を得ることができる。
【００３３】
従って、塗布具１００の持ち手１０を把持した使用者により、化粧料が供された塗布面２０を自らの顔面等の肌面に押し付けて任意の方向に動かし、化粧料を塗り広げようとするとき、塗布具１００の肌面に対する角度設定によらず、塗布面２０の中央部が化粧料を肌面に押し付け、塗布面２０の中央部まわりの周辺部はその全周において外方に行くに従って肌面から徐々に離隔する。これにより、塗布面２０のほぼ全面が化粧料を肌面にべったりと付着させるように過度に強く密着することがない。また、塗布面２０の外縁エッジが既に肌面に塗布済の化粧料を掻き取り除去するおそれがない。即ち、化粧料を肌面に滑らかに均一に塗り広げることができるし、この塗り広げに伴って肌面に与えるマッサージ感も向上できる。
【００３４】
(b)塗布面２０の外周に外方へ突出する凸部２２を設けた。この凸部２２は、使用者の例えば指先の如くに機能する。凸部２２は、円弧状曲線をなすとともに、その正面が凸曲面２１に連続する曲面をなすため、顔等の肌面にスムーズに違和感なく移動して化粧料を塗り広げることができ、心地良い感触を得ることができる。
【００３５】
従って、塗布面２０の外周に凸部２２が形成する大曲率部を設け、この塗布面２０の外周を小鼻の回りや目頭のくぼみ等の肌面における細かい部分に容易に押し当てることができる。即ち、化粧料を肌面の細かい部分に塗布することができるし、肌面の隅々に与えるマッサージ感も向上できる。
【００３６】
(c)凸部２２の外周を曲線状にした。これにより、塗布面２０の外周の凸部２２を肌面における細かい部分に柔らかく押し当てることができ、化粧料の塗り心地とマッサージ感を一層向上できる。
【００３７】
(d)塗布面２０の外周（凸部２２、膨出部２３、凹状湾曲部２４の各外周）を曲線状にした。これにより、塗布面２０の全外周を肌面に柔らかく押し当て、化粧料を肌面に一層滑らかに塗り広げることができるし、マッサージ感も一層向上できる。
【００３８】
(e)塗布面２０の面内にへこみ２５を形成し、このへこみ２５に化粧料を供給し、貯留しておくことができる。へこみ２５の輪郭線２５Ａ（本実施例では円形状）が化粧料の供給貯留量の計量ライン（供給量の目安）になる。また、へこみ２５が化粧料を保持し、塗布時の化粧料の垂れ落ちを防ぐ。へこみ２５が化粧料を包み込みように保持し、泡状の化粧料の泡もつぶさずに保持できる。
【００３９】
顔等の肌面は凸曲面であることから、へこみ２５はそれらの肌面に適合して化粧料を均一に塗布でき、へこみ２５が凹曲面になっているため、一層良くそれらの肌面に適合できる。
【００４０】
(f)持ち手１０と塗布面２０を含む断面視で、持ち手１０が塗布面２０における凸曲面２１の中央部に引いた接線ａに対し離隔して配置された。これにより、持ち手１０を把持した手指が肌面に干渉することなく、塗布面２０を肌面に当てて化粧料を塗り広げることができる。また、塗布具１００をテーブル等の平坦な台に置いた際にも、手指によって持ち手１０を容易に把持して取り易い。
【００４１】
また、塗布具１００にあっては、持ち手１０から塗布面２０に渡る長手方向の全体的に、塗布面２０の側が凸となるように湾曲しており、操作性が良い。
【００４２】
また、塗布具１００にあっては、持ち手１０を含む、柄１１の外周も曲線で構成したから、持ち手１０を把持する手指にやさしく、それらの外周が肌面に当たることがあっても、その当たりを柔らかくすることができる。
【００４３】
また、塗布具１００にあっては、各部が中心線ｋに対して線対称形状をなすものであるから、塗布面２０を顔面等の肌面に押し付けていかなる方向に動かすときにも、概同じ塗り広げ性能を発揮できる。また、塗布具１００が線対称形状をなすとき、右手でも左手でも把持でき、また左利きでも右利きでも使用できる。
【００４４】
また、塗布面２０は、化粧料を保持するへこみ２５を円形状にし、その中心点ｃまわりに凸曲面２１を同軸配置したから、塗布面２０を顔面等の肌面に押し付けていかなる方向に動かすときにも、概同じ塗り広げ性能を発揮できる。
【００４５】
また、塗布具１００にあっては、例えば金属製板状体からなるとき、顔面等の肌面に当たってひんやり感を得ることができるし、板厚の薄肉化によって軽量化でき、使い勝手を向上できる。
【００４６】
尚、本発明の実施において、塗布面２０の外周形状はいか様にも変形できる。例えば、塗布面の外周の複数位置のそれぞれに外方へ突出する凸部を設けても良く、それらの複数の凸部が異なる曲率からなるものでも良い。これにより、顔面等の肌面の広い部分、或いは多様に異なる細かい部分の各所に良くフィットする塗布具１００を提供できる。
【００４７】
また、塗布具１００は、左右非対称形状をなすものであっても良い。
また、塗布具１００は、塗布面２０の裏面を凹面ではなく、凸面としても良い。
また、塗布具１００は、化粧料だけでなく、消毒剤や虫除け剤等の薬液の塗布に用いても良い。
【産業上の利用可能性】
【００４８】
本発明によれば、化粧料等を肌面に滑らかに均一に塗り広げるとともに、化粧料等を肌面の細かい部分にも容易に塗布でき、肌面に与えるマッサージ感も向上することができる。
【符号の説明】
【００４９】
１０  持ち手
１１  柄
２０  塗布面
２１  凸曲面
２２  凸部
２３  膨出部
２４  凹状湾曲部
２５  へこみ
１００  塗布具
ａ  接線
【図１】
0006605200.tif 000002
【図２】
0006605200.tif 000003
【図３】
0006605200.tif 000004
【図４】
0006605200.tif 000005
【図５】
0006605200.tif 000006